(57)【特許請求の範囲】
【請求項１】
パケット通信サービスと回線交換通信サービスとを提供する移動体通信システムにおいて、
ユーザが発信者側移動携帯端末から他の受信者側移動携帯端末を通話呼出しし、前記受信者側移動携帯端末から受信応答がなかった場合に、
所定操作に応じて、前記発信者側移動携帯端末が、前記受信者側移動携帯端末へのパケット転送網によるメッセージ送信のためのメッセージ入力送信画面に自動的に遷移するよう制御され、
ユーザの送信指示操作により、入力されたメッセージが前記パケット転送網を介して前記受信者側移動携帯端末に対して送信される、
ことを特徴とする移動体通信システム。
【請求項２】
パケット通信サービスと回線交換通信サービスとを提供する移動体通信システムにおいて、
第１および第２の移動携帯端末間で通話中に、前記第１の移動携帯端末が、所定操作に応じて、通話先の前記第２の移動携帯端末へのパケット転送網によるメッセージ送信のためのメッセージ入力送信画面に自動的に遷移するよう制御される、
ことを特徴とする移動体通信システム。
【請求項３】
前記メッセージ入力送信画面に遷移するときに、自動的に前記回線交換通信サービスの回線を切断するよう制御されることを特徴とする請求項２に記載の移動体通信システム。
【請求項４】
前記第１の移動携帯端末の入力されたメッセージが、ユーザの送信指示操作に応じて前記パケット転送網を介して前記第２の移動携帯端末に対して送信された後に、
前記第１の移動携帯端末が自動的に前記第２の移動携帯端末に対して回線交換網による通話要求を再発呼するよう制御される、
ことを特徴とする請求項３に記載の移動体通信システム。
【請求項５】
前記メッセージ入力送信画面に自動的に遷移する制御は、事前の設定に応じて実行されることを特徴とする請求項１または２に記載の移動体通信システム。
【発明の詳細な説明】
【０００１】
【発明の属する技術分野】
本発明はパケット通信サービスと回線交換通信サービスとを提供する移動体通信システムに関するもので、利用者の使い勝手を向上させた、パケット通信機能を有する移動携帯端末（携帯電話）、およびこの端末同士を接続する回線交換網とパケット転送網を含み構成された移動体通信システム、並びに通信方法に関する。
【０００２】
【従来の技術】
従来、通話機能に加えてメール機能を備えた移動携帯端末では、それぞれの機能はメインメニューからそれぞれ別の遷移状態を経た後に利用可能に構成されている。このため、音声通話呼出し時に呼出相手（受信者）が圏外時等で通話できない場合に、相手が対応した回線交換網の留守番サービスを利用している場合にはこれを利用できる。
【０００３】
しかし、相手が留守番サービスを利用していない場合には、異なる回線であるパケット転送網を用いて同じ相手にメールによる伝言を送ることで同様の目的を達成できる。しかしこの場合には、一旦回線を切断してメインメニューから移動携帯端末を操作して伝言を送らなくてはならず、ユーザは複雑で手間のかかる煩雑な手順で端末を操作しなければならないという難点があった。
【０００４】
また、通話中に同じ相手に対して電子メールの送信を行ったり受信済みメールの転送を行う必要が生じた場合には、ユーザは一旦通話を中止し、当該データ送信のために同一相手に改めて再接続するために複雑で手間のかかる操作が必要で、再度通話を行うのであれば更に回線切断と再発呼が必要になり、煩雑な手順で端末を操作しなければならないという難点があった。
【０００５】
【発明が解決しようとする課題】
本発明は、上記問題点に対処すべくなされたもので、不在通話時や通話時に同一相手に電子メール等を送る場合に、負担の少ない容易な操作・手順にて通話途中での回線交換網とパケット転送網との切替を容易に行える機能を移動携帯端末のユーザに提供することを目的とするものである。これにより、ユーザは不在通話時に簡単に伝言を送ることができ、また、通話途中でも文字情報や画像情報と言った情報を容易に転送することができ、伝える相手にわかりやすい情報交流が実現でき、使い勝手が向上する。
【０００６】
【課題を解決するための手段】
課題解決のため、請求項１に記載の本発明では、パケット通信サービスと回線交換通信サービスとを提供する移動体通信システムにおいて、ユーザが発信者側移動携帯端末から他の受信者側移動携帯端末を通話呼出しし、前記受信者側移動携帯端末から受信応答がなかった場合に、所定操作に応じて、直ちに前記発信者側移動携帯端末が、前記受信者側移動携帯端末へのパケット転送網によるメッセージ送信用入力状態に遷移するよう制御され、
ユーザの送信指示操作により、入力されたメッセージがパケット転送網を介して前記受信者側移動携帯端末に対して送信される、ことを特徴とする移動体通信システムが提供される。
【０００７】
請求項２に記載の本発明では、パケット通信サービスと回線交換通信サービスとを提供する移動体通信システムにおいて、第１および第２の移動携帯端末間で通話中に、前記第１の移動携帯端末が所定操作に応じて、直ちに通話先の前記第２の移動携帯端末へのパケット転送網によるメッセージ送信用入力状態に遷移するよう制御される、ことを特徴とする移動体通信システムが提供される。
【０００８】
請求項３に記載の本発明では、前記メッセージ送信用入力状態に遷移するときに、自動的に前記回線交換通信サービスの回線を切断するよう制御される、ことを特徴とする移動体通信システムが提供される。
【０００９】
請求項４に記載の本発明の移動体通信システムは、前記第１の移動携帯端末の入力されたメッセージが、ユーザの送信指示操作により前記パケット転送網を介して前記第２の移動携帯端末に対して送信された後に、前記第１の移動携帯端末が自動的に前記第２の移動携帯端末に対して交換網による通話要求を再発呼するよう制御される、ことを特徴とする。
【００１０】
請求項５に記載の本発明の移動体通信システムは、前記メッセージ入力送信画面に自動的に遷移する制御は、事前の設定に応じて実行されることを特徴とする。
【００１２】
【発明の実施の形態】
〔第１実施形態〕以下、図面を参照して本発明について詳細に説明する。図１は、本発明の一実施の形態である移動携帯端末の概略構成を示すブロック図である。図２は、本発明の一実施の形態としての移動通信システムを示すブロック図である。
【００１３】
本発明の移動携帯端末は、ＰＤＣ（デジタル携帯電話）等のパケット通信機能を有する携帯電話（通話可能）であって、発信者の移動携帯端末Ａから、受信者の移動携帯端末Ｂへ通話を目的とした呼出を行った際に、受信者と回線交換網における正常な接続が出来ない場合、すなわち、受信者がすでに通話状態で回線交換網の接続がされていた場合、あるいは受信者（移動携帯端末Ｂ）が圏外にある場合などに、発信者が速やかにパケット転送網を使用した電子メールをはじめとするデータ通信の回線路に切り替えることができ、また、通話開始後に必要に応じて速やかにパケット転送網を使用した電子メールをはじめとするデータ通信の回線路に切り替えたり元の回線交換網へもどすことが自在に行える制御機能を有する移動携帯端末である。
図１に示すように、本実施の形態の移動携帯端末は、網とデータの送受信を行うアンテナＵ１１０、データを変復調し無線信号に変換する無線及び変調復調部Ｕ１２０、制御部Ｕ１３０内に音声通話制御部Ｕ１３１、チャネル切替制御部Ｕ１３２、メッセージ編集制御部Ｕ１３３、発信制御部Ｕ１３４、アドレス帳やメッセージデータを記憶するデータメモリ部Ｕ１４０、音声会話を目的とするスピーカＵ１５０、マイクＵ１６０、ユーザが実際に操作する操作部Ｕ１７０、操作部Ｕ１７０から打ち込んだデータや受信したデータを表示する表示部Ｕ１８０を含み構成されている。
【００１４】
図２に示す本実施の形態の移動通信システムは、複数の上述した如き移動携帯端末と（図では移動携帯端末Ａ：Ｕ０１、移動携帯端末Ｂ：Ｕ０６の２つのみが示されている）、移動携帯端末の要求に応じて、回線交換網とパケット転送網間の切り替えを行う切替機能部を備えた複数の基地局（図では基地局Ａ：Ｕ０２、基地局Ｂ：Ｕ０５の２つのみが示されている）を含み構成された移動体通信網とで構成される。それぞれの基地局間は、音声通信のための回線交換網Ｕ０３及びデータ通信のためのパケット転送網Ｕ０４により接続されている。なお、パケット転送網Ｕ０４は、サーバＵ０７を介してインターネットＵ０８に接続されている。以下では、移動桁端末Ａのユーザをユーザ１、移動桁端末Ｂのユーザをユーザ２とする。
【００１５】
第１の実施の形態の使用形態と動作について説明する。上述の移動携帯端末装置を用いて例えば発信者であるユーザ１が受信者（ユーザ２）に対して通話をする場合には、通常の音声通話手順である操作部Ｕ１７０から通話先であるユーザ２の移動携帯端末装置の電話番号入力あるいはデータメモリ部Ｕ１４０内にある電話番号データを選択し、この選択された電話番号データを制御部Ｕ１３０内の発信制御部Ｕ１３４にてダイヤルトーン信号に変換し、通信処理及び端末監視制御部Ｕ１３５を介し、ダイヤルトーン信号を無線及び変復調部Ｕ１２０にてＤ／Ａ変換後、アンテナＵ１１０を介し、回線交換網Ｕ０３へ通知し（発呼情報送信）回線交換網Ｕ０３にてダイヤル相手であるユーザ２の移動携帯端末Ｂ：Ｕ０６の呼出しを行う。
【００１６】
回線交換網Ｕ０３は通信チャネル接続確立後、回線交換網Ｕ０３は受け手であるユーザの移動携帯端末Ｂとも通信チャネルを確立し、移動携帯端末Ｂへ通話呼出を行う。着信すると移動携帯端末Ｂ：Ｕ０６の呼出音が鳴動する。
【００１７】
呼び出されたユーザ２は移動携帯端末Ｂ：Ｕ０６の操作部Ｕ１７０のキーによりフック・オフを行い、回線交換網Ｕ０３による音声通話の接続が行われ、ユーザ１とユーザ２との間で移動携帯端末を使用して会話が行われる。
【００１８】
本実施の形態の移動形態端末は、通話として使用する回線交換網とデータ通信に使用するパケット転送網の間を自在に切り替えが可能に構成されている。従って、通話中に文書による電子メール等のデータ通信が必要になった場合は、通話者の一方が通話から電子メール通信に切り替えるため、自分の移動携帯端末の操作部Ｕ１７０での特定のキーを操作する。この操作に応じて、音声通話制御部Ｕ１３１では音声通話にて接続されていた回線交換網Ｕ０３の通話（接続）の切断処理を行い、チャネル切替制御部Ｕ１３２によりメッセージ編集制御部Ｕ１３３に制御処理を切替てメール内容の編集動作に自動的に移行する。
【００１９】
ここで、新たにメール内容をメッセージ編集制御部Ｕ１３３の制御下で新規作成するか、あるいは事前にデータメモリ部Ｕ１４０に格納されている既存のメッセージメールのうち所望のものを選択する。続いてメールアドレスを新規に設定するか、あるいはデータメモリ部Ｕ１４０に格納されている電話帳リストから設定するかをメッセージ編集制御部Ｕ１３３にて選択設定する。この選択設定されたメールアドレス先に対し発信制御部Ｕ１３４にてパケット転送網Ｕ０４に対して自動発信を行い、パケット転送網Ｕ０４との接続を行う。
【００２０】
パケット転送網Ｕ０４との接続が確立したユーザ１側の移動携帯端末Ａ：Ｕ０１は、ユーザ２が所持する移動携帯端末Ｂ：Ｕ０６のメールアドレス宛てに先ほど移動携帯端末Ａ：Ｕ０１で設定したメッセージデータを移動携帯端末Ｂ：Ｕ０６に対して送信し、ユーザ２側へ文書メールを提供し、必要なデータが全て転送完了した後、パケット転送網Ｕ０４との切断を行う（パケット通信チャネル切断）。所定の操作により必要な設定をしておけば、パケット通信チャネル切断後、回線交換網Ｕ０３を経由したユーザ１とユーザ２のあいだでの音声通話を再開することが出来る。
【００２１】
また、本実施の形態の移動形態端末は、上述したように通話として使用する回線交換網とデータ通信に使用するパケット転送網の間を自在に切り替えが可能に構成されているので、通話を行うべく発呼した際に、通話相手の状況により回線交換網の接続が行われない場合には、即座に回線交換網からパケット転送網へ直接に切り替えて、電子メール等で用件を伝えることができる。
【００２２】
例えば、ユーザ１が前述したように、移動携帯端末Ａを操作して、発呼情報を送信し回線交換網Ｕ０３にてダイヤル相手であるユーザ２の移動携帯端末Ｂ：Ｕ０６の呼出しを行った場合に、ユーザ２がすでに通話状態で回線交換網の接続がされていた場合、あるいはユーザ２の移動携帯端末Ｂが圏外にある時など回線交換網における正常な接続が出来ない場合、前述したと同様の手順で速やかにパケット転送網に切り替えて用件を電子メールとして送信する。
【００２３】
続いて図１、図２、図３を用いて、本実施の形態の動作について説明を行う。図３は、本実施形態におけるユーザによる操作と各機器の動作の流れを説明するフローチャートである。
【００２４】
まず、ユーザ１は移動携帯端末を立ち上げ、接続手続きを行う（Ｓ３０１）。ユーザ１は、通話を行うかメール送信を行うかを選択する（Ｓ３０２）。メール送信（パケット通信による）を行う場合は、操作部Ｕ１７０からの所定操作手順にてメール文入力を行う（Ｓ３０３）。すなわち、メッセージ編集制御部Ｕ１３３によりメッセージ文の入力・編集し、また宛先としてメールアドレス新規設定あるいはデータメモリ部Ｕ１４０で保管する電話帳データを選択することでアドレス設定を行う。再び操作部Ｕ１７０からの設定手順により移動携帯端末Ａ：Ｕ０１と基地局Ａ：Ｕ０２を介してパケット転送網Ｕ０４とのパケット通信チャネル確立を行う（Ｓ３０４）。
【００２５】
接続先がパソコンであればサーバ：Ｕ０７を介してＴＣＰ／ＩＰプロトコルによるインターネット：Ｕ０８への接続が行われＩＰ（プロバイダ）を経由してＰＣユーザＵ０９のパソコンと接続してメールが送信される（Ｓ３０５）。もし、接続相手が移動携帯端末Ｂであれば基地局Ｂ：Ｕ０５を介して移動携帯端末Ｂ：Ｕ０６にメール送信を行い（Ｓ３０５）、送信が完了するとパケット通信チャネルの切断を行う（Ｓ３０６）。この一連の過程は一般的なメール通信の流れである。
【００２６】
一方、前述の通話を行うかメール送信の選択（過程；Ｓ３０２）にて、通話（音声チャネル）を選択する場合は、ユーザは宛先（通話先）の電話番号入力を操作部Ｕ１７０の操作により行い、発信制御部Ｕ１３４の制御で電話番号発呼処理が行われる（Ｓ３０７）。移動携帯端末Ａは基地局Ａを介して回線交換網Ｕ０３と回線確立を行い、基地局Ｂから移動携帯端末Ｂ：Ｕ０６に対して呼出が行われユーザ２へ応答を促す（Ｓ３０８）。
【００２７】
ユーザ２が応答操作して（Ｓ３０９：ＹＥＳ）回線が接続されれば通話が開始される（Ｓ３１１）。しかし、ユーザ２が不在等で応答しない場合あるいは、圏外（電源ＯＦＦ含む）で通話が出来ない場合は（Ｓ３０９：ＮＯ）、ユーザ１は、回線交換網Ｕ０３と移動携帯端末Ａ：Ｕ０１間の回線切断を速やかに行う（Ｓ３１０）。移動携帯端末Ａは、事前の設定に応じてチャネル切替制御部Ｕ１３２が音声通話制御部Ｕ１３１からメッセージ編集制御部Ｕ１３３に制御を直接に切り替えて、ユーザ１はメール文入力に移行する（Ｓ３０３）。
【００２８】
以降は前述したと同様に、メッセージ編集制御部Ｕ１３３にてメッセージ文の編集とメールアドレス新規設定あるいはデータメモリ部Ｕ１４０で保管する電話帳データの選択を行い、再び操作部Ｕ１７０からの設定手順により移動携帯端末Ａと基地局Ａを介してパケット転送網Ｕ０４とのパケット通信チャネル確立を行い（Ｓ３０４）、接続相手の移動携帯端末Ｂ：Ｕ０６に対して基地局Ｂ：Ｕ０５を介してメール送信を行い（Ｓ３０５）、送信が完了した後にユーザ１はパケット通信チャネル切断を行う（Ｓ３０６）。
【００２９】
続いて図４の各装置間の信号の流れを示すフローシーケンス図を用いて説明を行う。図４は移動携帯端末Ａと移動携帯端末Ｂですでに通話が開始された後にパケット通信との通信切換を行う場合についての処理の流れを示している。まずユーザ１は移動携帯端末Ａからユーザ２を呼び出すため、電話番号発呼Ｆ４０１を行い、回線交換網は移動携帯端末Ｂに呼出要求Ｆ４５１を行い、移動携帯端末ＢはＦ４５２による呼出応答を行い、回線交換網は移動携帯端末Ａとの通話回線接続Ｆ４０２が行われた後、移動携帯端末Ａと移動携帯端末Ｂ間で回線交換網を介して通話Ｆ４０３、４５３が行われる。
【００３０】
例えば、ユーザ１が通話中にユーザ２側に電子メールを送る場合は、移動携帯端末Ａは一端フックオッフ処理を行い、通話回線接断Ｆ４０４を回線交換網に通知し、回線交換網は移動携帯端末Ｂに対して通話回線切断Ｆ４５４が発生したことを通知する。
【００３１】
この後、移動携帯端末Ａは電子メール機能に移行し、ユーザ１が送信メールの準備を完了し送信開始すべく発呼操作すると、移動携帯端末ＡはＦ４０６にてパケット通信登録要求をパケット転送網へ向け送出し、パケット転送網は移動携帯端末Ａとのパケット通信チャネルを起動し、Ｆ４０７で移動携帯端末Ａへ向けパケット通信登録応答を送ると共にＦ４５５で移動携帯端末Ｂをページングする。ページングされた移動携帯端末ＡはＦ４５６で網へ向けパケット通信登録要求を発信し、移動携帯端末Ｂとの間にパケット通信チャネルを確立したパケット転送網はＦ４５７でパケット通信登録応答を送信する。
【００３２】
パケット通信チャネル確立後、移動携帯端末ＡはＦ４０８にて網へ向け電子メールを送信する。パケット通信チャネルはそのデータを一旦保管しＦ４５８にて移動携帯端末Ｂへ電子メールを送信する。移動携帯端末Ｂへの当該電子メールの送信が完了した後、パケット転送網は移動携帯端末Ａに対してはＦ４０９によりパケット通信切断要求を行い、移動携帯端末Ａからはパケット通信切断確認Ｆ４１０を受ける。移動携帯端末Ｂに対しては、パケット通信登録解除要求Ｆ４５９を確認した後、パケット通信登録解除応答Ｆ４６０を送信する。
【００３３】
以上説明した第１の実施の形態における効果は、着信者の状況（不在通話あるいは圏外時）に関係なく伝えたいメッセージを煩わしい操作無く受け手に伝えることが出来ることである。
【００３４】
その理由は、通話による呼出を受けるべき受信者の状況（ビジートーンやガイダンスによる確認）をもとに、ユーザによる簡易操作に基づいて移動携帯端末が電子メールモードに自動的に切り替えて、パケット転送網を活用してメールを容易に受信ユーザに伝えることが可能となるためである。
【００３５】
第２の効果として、通話途中でも重要な情報を文字情報として通話中の相手に提供出来るとの効果が得られる。その理由は、通話途中での回線交換網を簡易的にパケット転送網に容易に切り替えると共に移動携帯端末の状態も電子メールに切替てメール送信完了後も回線交換網に自動的に接続するように構成されているからである。
【００３６】
本実施形態において、移動携帯端末Ａと移動携帯端末Ｂですでに通話が開始された後にパケット通信との通信切換を行い再度通話を継続する場合の例を図５、図６を用いて説明する。図５は、ユーザによる操作と各機器の動作の流れを説明するフローチャートである。図６は各装置間の信号の流れを示すフローシーケンス図である。
【００３７】
まず、ユーザ１は移動携帯端末を立ち上げ、接続手続きを行う（Ｓ５０１）。ユーザ１は、通話を行うかメール送信を行うかを選択する（Ｓ５０２）。メール送信（パケット通信による）を行う場合は、操作部Ｕ１７０からの所定操作手順にてメール文入力を行う（Ｓ５０３）。すなわち、メッセージ編集制御部Ｕ１３３によりメッセージ文の入力・編集し、また宛先としてメールアドレス新規設定あるいはデータメモリ部Ｕ１４０で保管する電話帳データを選択することでアドレス設定を行う。更に操作部Ｕ１７０からの設定手順により移動携帯端末Ａ：Ｕ０１と基地局Ａ：Ｕ０２を介してパケット転送網Ｕ０４とのパケット通信チャネル確立を行う（Ｓ３０４）。
【００３８】
接続先がパソコンであればサーバ：Ｕ０７を介してＴＣＰ／ＩＰプロトコルによるインターネット：Ｕ０８への接続が行われＩＰ（プロバイダ）を経由してＰＣユーザＵ０９のパソコンと接続してメールが送信される（Ｓ５０５）。もし、接続相手が移動携帯端末Ｂであれば基地局Ｂ：Ｕ０５を介して移動携帯端末Ｂ：Ｕ０６にメール送信を行い（Ｓ５０５）、送信が完了するとパケット通信チャネルの切断を行う（Ｓ５０６）。この一連の過程は一般的なメール通信の流れである。
【００３９】
一方、前述の通話を行うかメール送信の選択（過程；Ｓ５０２）にて、通話（音声チャネル）を選択する場合は、ユーザは宛先（通話先）の電話番号入力を操作部Ｕ１７０の操作により行い、発信制御部Ｕ１３４の制御で電話番号発呼処理が行われる（Ｓ５０７）。移動携帯端末Ａは基地局Ａを介して回線交換網Ｕ０３と回線確立を行い、基地局Ｂから移動携帯端末Ｂ：Ｕ０６に対して呼出が行われユーザ２へ応答を促す（Ｓ５０８）。
【００４０】
ユーザ２が不在あるいは、圏外（電源ＯＦＦ含む）で通話が出来ない場合（Ｓ５０９）は、回線交換網Ｕ０３と移動携帯端末Ａ：Ｕ０１間の回線切断Ｓ５１０を速やかに行い、チャネル切替制御部Ｕ１３２は音声通話制御部Ｕ１３１からメッセージ編集制御部Ｕ１３３に切り替えて、メール文入力を行い（Ｓ５０３）、メッセージ編集制御部Ｕ１３３にてメッセージ文の編集とメールアドレス新規設定あるいはデータメモリ部Ｕ１４０で保管する電話帳データの選択を行い、再び操作部Ｕ１７０からの設定手順により移動携帯端末Ａと基地局Ａを介してパケット転送網Ｕ０４とのパケット通信チャネル確立を行い（Ｓ５０４）、接続相手が移動携帯端末Ｂであれば基地局Ｂ：Ｕ０５を介して移動携帯端末Ｂ：Ｕ０６にメール送信を行い（Ｓ５０５）、送信が完了した後はパケット通信チャネル切断を行う（Ｓ５０６）。なお、ここまでの過程は前述の実施例と同様である。
【００４１】
ユーザ２側が回線接続を選択して（Ｓ５０９：ＹＥＳ）通話開始操作を行った場合（Ｓ５１１）は、回線交換網Ｕ０３接続によって相互間での通話（会話、Ｓ５１２）を行う。通話途中でユーザ（例えばユーザ１）がメール送信を行う必要が生じた場合（メールｏｒ終話選択；Ｓ５１３）、操作部Ｕ１７０から速やかに所定操作を行う。この操作により移動携帯端末Ａ：Ｕ０１は回線切断Ｓ５１４を行い、チャネル切替制御部Ｕ１３２は音声通話制御部Ｕ１３１からメッセージ編集制御部Ｕ１３３に直接に切り替わる。ユーザ１は、メール文入力を行う。メッセージ編集制御部Ｕ１３３にてメッセージ文の編集とメールアドレス新規設定あるいはデータメモリ部Ｕ１４０で保管する電話帳データの選択を行い、再び操作部Ｕ１７０からメール送信の所定操作をする（Ｓ５１５）。
【００４２】
移動携帯端末Ａと基地局Ａを介してパケット転送網Ｕ０４とのパケット通信チャネルが確立され（Ｓ５１６）、接続相手が移動携帯端末Ｂであれば基地局Ｂ：Ｕ０５を介して移動携帯端末Ｂ：Ｕ０６に当該メールが送信され（Ｓ５１７）、送信が完了した後、パケット通信チャネルが切断される（Ｓ５１８）。そしてこのパケット通信チャネル切断後、直ちに通話の再接続のため電話番号発呼（過程Ｓ５０７）に戻り、通話が再開される。会話終了後（メールｏｒ終話選択；Ｓ５１３）で終話操作がされると通話が終了し（Ｓ５１０）、移動携帯端末は待ち受け動作に移行する。
【００４３】
続いて図６のフローシーケンス図の説明を行う。図６は移動携帯端末Ａと移動携帯端末Ｂですでに通話が開始された後にパケット通信との通信切換を行う場合の処理の流れである。まずユーザ１は移動携帯端末Ａからユーザ２を呼び出すため、電話番号発呼Ｆ６０１を行い、回線交換網はＦ６５１にて移動携帯端末Ｂに呼出要求を行い、移動携帯端末ＢはＦ６５２による呼出応答を行い、回線交換網は移動携帯端末Ａとの通話回線接続Ｆ６０２が行われた後、移動携帯端末Ａと移動携帯端末Ｂ間で回線交換網を介して通話Ｆ６０５、６５３が行われる。
【００４４】
ユーザ１が通話中にユーザ２側に電子メールを送る場合は、移動携帯端末Ａは一端フックオッフ処理を行い、通話回線接断Ｆ６０４を回線交換網に通知し、回線交換網は移動携帯端末Ｂに対して通話回線切断Ｆ６５４が発生したことを通知する。
【００４５】
この後、移動携帯端末Ａは電子メール機能に移行し、ユーザ１が送信メールの準備を完了し送信開始すべく発呼操作すると、移動携帯端末ＡはＦ６０５にてパケット通信登録要求をパケット転送網へ向け送出し、パケット転送網は移動携帯端末Ａとのパケット通信チャネルを起動し、Ｆ６０７で移動携帯端末１へ向けパケット通信登録応答を送ると共にＦ６５５で移動携帯端末２をページングする。ページングされた移動携帯端末ＢはＦ６５６で網へ向けパケット通信登録要求を発信し、移動携帯端末２との間にパケット通信チャネルを確立したパケット転送網はＦ６５７でパケット通信登録応答を送信する。
【００４６】
パケット通信チャネル確立後、移動携帯端末１はＦ６０８にて網へ向け電子メールを送信する。パケット通信チャネルはそのデータを一旦保管しＦ６５８にて移動携帯端末Ｂへ電子メールを送信する。移動携帯端末Ｂへの当該電子メールの送信が完了した後、パケット転送網は移動携帯端末１に対してはＦ６０９によるパケット通信切断要求を行い、移動携帯端末Ａからはパケット通信切断確認Ｆ６１０を受ける。移動携帯端末Ｂに対しては、パケット通信登録解除要求Ｆ６５９を確認した後、パケット通信登録解除応答Ｆ６６０を送信する。
【００４７】
そして、再び電話番号発呼Ｆ６１１を行い、回線交換網はＦ６６１にて移動携帯端末Ｂに呼出要求を行い、移動携帯端末ＢはＦ６６２による呼出応答を行い、回線交換網は移動携帯端末Ａとの通話回線接続Ｆ６１２が行われた後、移動携帯端末Ａと移動携帯端末Ｂ間で回線交換網を介して通話Ｆ６１５、６６３が行われる。
【００４８】
通話終了時は、移動携帯端末Ａはフックオフ処理を行い、通話回線接断Ｆ６１４を回線交換網に通知し、回線交換網は移動携帯端末Ｂに対して通話回線切断Ｆ６６４が発生したことを通知する。
【００４９】
〔第２実施形態〕次に、上述したものとは異なる移動体通信システムを例示する。図７は、本発明の別な実施の形態としての移動通信システムを示すブロック図である。図７のシステムは、基本的に図２と同様のシステム構成であるが、基地局Ａ側、基地局Ｂ側にそれぞれ切替部Ｕ１０、Ｕ１１を設けている点が異なっている。各部の符号は図２と同等の部分には同一符号を付してある。Ｕ１０、Ｕ１１以外の部分については、構成・作用は前述したと同様であり、繰り返しとなる説明は省略する。
【００５０】
第２実施形態においても、前実施の形態とまったく同様に着信者の状況（不在通話あるいは圏外時）に関係なく伝えたいメッセージを煩わしい操作無く受け手に伝えることが出来る。また、通話途中でも重要な情報を文字情報として通話中の相手に提供出来るとの効果が得られる。
【００５１】
このシステムでは、通話交換網Ｕ０３とパケット転送網Ｕ０４は、常時網接続が行われており、通話中のユーザの一方が自移動携帯端末をキャッチホンと同様の操作し、これに応じてシステム側で網を切り替えることにより、タイムラグなく頻繁にメールと通話の切替を容易に行うことが可能である。
【００５２】
【発明の効果】
本発明の第１の効果は、着信者の状況（不在通話あるいは圏外時）に関係なく伝えたいメッセージを煩わしい操作無く受け手に伝えることが出来ることである。その理由は、通話による呼出を受けるべき受信者の状況（ビジートーンやガイダンスによる確認）をもとに簡易操作により電子メールモードに自動的に切り替えて、パケット転送網を活用してメールを容易に受信ユーザに伝えることが可能となるためである。
【００５３】
第２の効果は、重要な情報を通話途中で文字情報として提供出来ることである。その理由は、通話途中での回線交換網を簡易的にパケット転送網に容易に切り替えると共に移動携帯端末の状態も電子メールに切替てメール送信完了後も回線交換網を自動的に接続されるからである。
【図面の簡単な説明】
【図１】本発明の一実施形態としての移動携帯端末の概略構成を示すブロック図である。
【図２】本発明の移動通信システムの一実施形態の概要を示すシステムブロック図である。
【図３】同実施形態におけるユーザによる操作と各機器の動作の流れを説明するフローチャートである。
【図４】同実施形態における各装置間の信号の流れを示すフローシーケンス図である。
【図５】同実施形態におけるユーザによる操作と各機器の動作の流れを説明するフローチャートである。
【図６】同実施形態における各装置間の信号の流れを示すフローシーケンス図である。
【図７】本発明の移動通信システムの他の実施形態の概要を示すシステムブロック図である。
【符号の説明】
Ｕ０１…移動携帯端末Ａ
Ｕ０２…基地局Ａ
Ｕ０３…回線交換網
Ｕ０４…パケット転送網
Ｕ０５…基地局Ｂ
Ｕ０６…移動携帯端末Ｂ
Ｕ０７…サーバ
Ｕ０８…インターネット
Ｕ１１０…アンテナ
Ｕ１２０…無線及び変調復調部
Ｕ１３０…制御部
Ｕ１３１…音声通話制御部
Ｕ１３２…チャネル切替制御部
Ｕ１３３…メッセージ編集制御部
Ｕ１３４…発信制御部
Ｕ１４０…データメモリ部
Ｕ１５０…スピーカ
Ｕ１６０…マイク
Ｕ１７０…操作部
Ｕ１８０…表示部
【図１】
0003721118.tif 000002
【図２】
0003721118.tif 000003
【図３】
0003721118.tif 000004
【図４】
0003721118.tif 000005
【図５】
0003721118.tif 000006
【図６】
0003721118.tif 000007
【図７】
0003721118.tif 000008